(57)【要約】      （修正有）【課題】紡糸される繊維の直径を小さくすることができるメルトブロー装置の提供。【解決手段】中心軸が略鉛直方向に沿った樹脂ノズル１４から溶融ポリマーを吐出し、中心軸が略水平方向に沿ったエアノズル２５から高温かつ高圧の空気を吐出する。過熱蒸気ノズル４３は、過熱蒸気を吐出して、樹脂ノズル、エアノズル及び捕集部３０により囲まれた空間に過熱蒸気を供給し、この加熱蒸気が供給された空間においてエアノズルから吐出された空気が溶融ポリマーを延伸して繊維状の樹脂を生成する。【選択図】図１
2020196960.tif 000002
【特許請求の範囲】
【請求項１】
溶融ポリマーを吐出する樹脂ノズルと、
高温かつ高圧の空気を生成する高温高圧空気生成部と、前記高温高圧空気生成部で生成された高温かつ高圧の空気を吐出するエアノズルであって、前記樹脂ノズルに隣接して設けられたエアノズルと、を有する空気流発生部と、
前記溶融ポリマーが前記エアノズルから吐出された空気により延伸されて生成された繊維状の樹脂を捕集する捕集部と、
過熱蒸気を生成する過熱器と、前記過熱器で生成されした過熱蒸気を吐出する過熱蒸気ノズルと、を有する過熱蒸気供給部と、
を備え、
前記樹脂ノズルは、中心軸が略鉛直方向に沿っており、
前記エアノズルは、中心軸が略水平方向に沿っており、
前記過熱蒸気ノズルは、前記樹脂ノズル、前記エアノズル及び前記捕集部により囲まれた空間に過熱蒸気を供給する
ことを特徴とするメルトブロー装置。
【請求項２】
請求項１に記載のメルトブロー装置であって、
前記エアノズルは、前記樹脂ノズルの中心軸と交差する位置に配置される
ことを特徴とするメルトブロー装置。
【請求項３】
請求項２に記載のメルトブロー装置であって、
前記樹脂ノズルの中心軸と前記エアノズルの先端との距離は、前記樹脂ノズルの先端と前記エアノズルの中心軸との距離より近い
ことを特徴とするメルトブロー装置。 
【請求項４】
請求項１から３のいずれか一項に記載のメルトブロー装置であって、
前記過熱蒸気ノズルは、中心軸が水平方向に対して傾いており、前記エアノズルの下方かつ後方から前記エアノズルに向けて前記過熱蒸気を吐出する
ことを特徴とするメルトブロー装置。
【請求項５】
請求項１から３のいずれか一項に記載のメルトブロー装置であって、
前記過熱蒸気ノズルは、水平方向の位置が前記エアノズルと前記捕集部との間に位置するように設けられている
ことを特徴とするメルトブロー装置。
【請求項６】
過熱蒸気により高温雰囲気にするステップと、
溶融ポリマーを上方から下方に向けて吐出するステップと、
高温雰囲気下で前記溶融ポリマーに向けて水平方向から高温かつ高圧の空気を吹き付けて前記溶融ポリマーを繊維状の樹脂とするステップと、
前記繊維状の樹脂を捕集するステップと、
を有することを特徴とするナノファイバ製造方法。
【発明の詳細な説明】
【技術分野】
【０００１】
本発明は、メルトブロー装置及びナノファイバ製造方法に関する。
【背景技術】
【０００２】
特許文献１には、熱可塑性ポリマーに熱を加えて膨潤状態にし、高速高温エアーと電荷を使ってナノ繊維を生成する溶融電解紡糸方法が開示されている。
【先行技術文献】
【特許文献】
【０００３】
【特許文献１】特許第６１８７９２５号
【発明の概要】
【発明が解決しようとする課題】
【０００４】
しかしながら、特許文献１に記載の発明では、高速高温エアーが溶融ポリマーを延伸するときに高速高温エアーの温度が低下することで、溶融ポリマーが十分に延伸されないおそれがある。
【０００５】
本発明はこのような事情に鑑みてなされたもので、紡糸される繊維の直径を小さくすることができるメルトブロー装置及びナノファイバ製造方法を提供することを目的とする。
【課題を解決するための手段】
【０００６】
上記課題を解決するために、本発明に係るメルトブロー装置は、例えば、溶融ポリマーを吐出する樹脂ノズルと、高温かつ高圧の空気を生成する高温高圧空気生成部と、前記高温高圧空気生成部で生成された高温かつ高圧の空気を吐出するエアノズルであって、前記樹脂ノズルに隣接して設けられたエアノズルと、を有する空気流発生部と、前記溶融ポリマーが前記エアノズルから吐出された空気により延伸されて生成された繊維状の樹脂を捕集する捕集部と、過熱蒸気を生成する過熱器と、前記過熱器で生成されした過熱蒸気を吐出する過熱蒸気ノズルと、を有する過熱蒸気供給部と、を備え、前記樹脂ノズルは、中心軸が略鉛直方向に沿っており、前記エアノズルは、中心軸が略水平方向に沿っており、前記過熱蒸気ノズルは、前記樹脂ノズル、前記エアノズル及び前記捕集部により囲まれた空間に過熱蒸気を供給することを特徴とする。
【０００７】
本発明に係るメルトブロー装置によれば、中心軸が略鉛直方向に沿った樹脂ノズルから溶融ポリマーを吐出し、中心軸が略水平方向に沿ったエアノズルから高温かつ高圧の空気を吐出する。過熱蒸気ノズルは、過熱蒸気を吐出して、樹脂ノズル、エアノズル及び捕集部により囲まれた空間に過熱蒸気を供給し、この加熱蒸気が供給された空間においてエアノズルから吐出された空気が溶融ポリマーを延伸して繊維状の樹脂を生成する。したがって、樹脂ノズル、エアノズル及び捕集部により囲まれた空間の温度を高温状態のまま保ち、紡糸される繊維の直径を小さくすることができる。
【０００８】
ここで、前記エアノズルは、前記樹脂ノズルの中心軸と交差する位置に配置されてもよい。これにより、自重で落下する溶融ポリマーをできるだけ早い段階で空気流に乗せて、空気による延伸の効果を高くすることができる。
【０００９】
ここで、前記樹脂ノズルの中心軸と前記エアノズルの先端との距離は、前記樹脂ノズルの先端と前記エアノズルの中心軸との距離より近くてもよい。これにより、樹脂ノズルから吐出された溶融ポリマーが、エアノズルから吐出される空気が生成する随伴流に乗りやすくなる。
【００１０】
ここで、前記過熱蒸気ノズルは、中心軸が水平方向に対して傾いており、前記エアノズルの下方かつ後方から前記エアノズルに向けて前記過熱蒸気を吐出してもよい。したがって、過熱蒸気を随伴流に乗せて、樹脂ノズル、エアノズル及び捕集部により囲まれた空間に過熱蒸気を広げることができる。
【００１１】
ここで、前記過熱蒸気ノズルは、水平方向の位置が前記エアノズルと前記捕集部との間に位置するように設けられていてもよい。したがって、空気流を発生させる前にあらかじめ過熱蒸気供給部を動作させて、樹脂ノズル、エアノズル及び捕集部により囲まれた空間を高温雰囲気下に置くことができる。
【００１２】
上記課題を解決するために、本発明に係るナノファイバ製造方法は、例えば、過熱蒸気により高温雰囲気にするステップと、溶融ポリマーを上方から下方に向けて吐出するステップと、高温雰囲気下で前記溶融ポリマーに向けて水平方向から高温かつ高圧の空気を吹き付けて前記溶融ポリマーを繊維状の樹脂とするステップと、前記繊維状の樹脂を捕集するステップと、を有することを特徴とする。これにより、紡糸される繊維の直径を小さくすることができる。
【発明の効果】
【００１３】
本発明によれば、紡糸される繊維の直径を小さくすることができる。
【図面の簡単な説明】
【００１４】
【図１】メルトブロー装置１の概略を示す模式図である。
【図２】メルトブロー装置１の一部を拡大して模式的に示した斜視図である。
【図３】メルトブロー装置１の一部を拡大して表示した模式図である。
【図４】メルトブロー装置２の一部を拡大して表示した模式図である。
【発明を実施するための形態】
【００１５】
以下、本発明の実施形態を、図面を参照して詳細に説明する。本発明のメルトブロー装置は、熱可塑性プラスチック樹脂を溶融して押出機のノズルから吐出し、高速高温の気流で吹き出すメルトブロー法により繊維径の小さい繊維（ナノファイバー）を製造するのに用いられる装置である。
【００１６】
＜第１の実施の形態＞
図１は、メルトブロー装置１の概略を示す模式図である。図２は、メルトブロー装置１の一部を拡大して模式的に示した斜視図である。メルトブロー装置１は、主として、樹脂供給部１０と、空気流発生部２０と、捕集部３０と、過熱蒸気供給部４０と、を有する。
【００１７】
樹脂供給部１０は、主として、ホッパ１１と、押出機１２と、ダイ１３と、樹脂ノズル１４と、を有する。熱可塑性プラスチック樹脂の原料チップをホッパ１１に投入し、押出機１２に備えられた図示しないヒータで加熱して熱可塑性プラスチック樹脂を溶融し、溶融ポリマーを得る。押出機１２は、溶融ポリマーをダイ１３へと押し出す。
【００１８】
樹脂ノズル１４は、ダイ１３に設けられており、溶融ポリマーを吐出する。樹脂ノズル１４は、図２に示すように、一列に並んで設けられている。樹脂ノズル１４からは、溶融ポリマーが上方から下方に向けて吐出される。
【００１９】
本実施の形態では、熱可塑性プラスチック樹脂として、例えば、ポリプロピレン（ＰＰ）、ポリエチレンテレフタレート（ＰＥＴ）、ポリブチレンテレフタレート（ＰＢＴ）が用いられるが、これに限定されるものではない。
【００２０】
空気流発生部２０は、主として、圧縮空気を生成するコンプレッサ２１と、圧縮空気が通過する配管２２と、レギュレータ２３と、配管２２を加熱するヒータ２４と、エアノズル２５と、を有する。コンプレッサ２１、配管２２、及びヒータ２４は、高温かつ高圧の空気を生成する高温高圧空気生成部に相当する。エアノズル２５は、樹脂ノズル１４に隣接して設けられており、高温高圧空気生成部で生成された高温かつ高圧の空気を吐出する。
【００２１】
本実施の形態では、エアノズル２５から吐出するときの空気の温度が略７００℃となるように、ヒータ２４で配管２２を加熱する。エアノズル２５が樹脂ノズル１４と別の部材であるため、エアノズル２５から吐出するときの空気の温度をポリマーの熱分解温度以上にすることができる。
【００２２】
空気流発生部２０、すなわちエアノズル２５は、図２に示すように、一列に並んで設けられている。エアノズル２５の配列方向は、樹脂ノズル１４の配列方向と略平行であり、エアノズル２５の配置領域は樹脂ノズル１４の配置領域を含む。
【００２３】
エアノズル２５からは、高温かつ高圧の空気が水平方向に吐出される。エアノズル２５から吐出される空気の風量は約７０リットル／分であり、吐出された空気の風速は音速程度と速い。エアノズル２５から吐出された空気を吹き付けることにより、樹脂ノズル１４から吐出された溶融ポリマーが延伸されて、繊維状の樹脂（ナノファイバ）となる。
【００２４】
捕集部３０は、主として、繊維状の樹脂を捕集する略円筒形状のサクションドラム３１と、ブロワ３２と、ブロワ３２に接続された吸引部３３と、不織布５１、５２が巻回された不織布ロール３４、３５と、巻取りドラム３６と、を有する。ここで、不織布５１は基材であり、不織布５２はカバー材である。
【００２５】
エアノズル２５から吐出された空気により、樹脂ノズル１４から吐出された溶融ポリマーはナノファイバとなり、サクションドラム３１に吹き付けられる。サクションドラム３１には不織布ロール３４から引き出された不織布５１が巻き掛けられており、吸引部３３から空気が吸引されることでナノファイバが不織布５１の表面に吸着する。
【００２６】
不織布５１の端は巻取りドラム３６に設けられている。巻取りドラム３６が一定の速度で回転することで、ナノファイバが表面に吸着した不織布５１は、巻取りドラム３６に向けて一定速度で移動する。
【００２７】
また、不織布ロール３５から引き出された不織布５２も、端が巻取りドラム３６に設けられている。したがって、巻取りドラム３６が一定の速度で回転することで、不織布５２が不織布５１表面のナノファイバ層を覆う。そして、不織布５２が不織布５１表面のナノファイバ層を覆ったものをカレンダー加工等により一体化することで、ナノファイバが不織布５１、５２によって挟持された完成品（布状の製品）となり、巻取りドラム３６に巻回される。この布状の製品は、例えば濾材として用いることができる。ナノファイバが不織布５１、５２によって狭持されることにより形成された濾材は、空隙率が高く、通期抵抗が低いという利点がある。
【００２８】
過熱蒸気供給部４０は、樹脂ノズル１４、エアノズル２５及びサクションドラム３１により囲まれた空間に過熱蒸気を供給する。樹脂ノズル１４、エアノズル２５及びサクションドラム３１により囲まれた空間は、エアノズル２５から噴き出された空気が溶融ポリマーを繊維化する領域である。過熱蒸気供給部４０は、主として、過熱蒸気を発生させる過熱器４１と、配管４２と、過熱蒸気ノズル４３と、を有する。
【００２９】
過熱器４１は、ボイラー(図示せず)等により発生する飽和蒸気をさらに熱し、高い温度の過熱蒸気を発生させる。過熱蒸気は、沸点より高い温度の乾いた水蒸気であり、例えば２００℃から７００℃程度の温度帯で使用される。
【００３０】
過熱器４１で生成された過熱蒸気は、配管４２を介して過熱蒸気ノズル４３に供給され、過熱蒸気ノズル４３から吐出される。過熱蒸気ノズル４３は、図２に示すように、一列に並んで設けられている。過熱蒸気ノズル４３の配列方向は、樹脂ノズル１４及びエアノズル２５の配列方向と略平行であり、過熱蒸気ノズル４３の配置領域は樹脂ノズル１４及びエアノズル２５の配置領域を含む。
【００３１】
本実施の形態では、過熱蒸気ノズル４３から合わせて略２０ｋｇ／時間の過熱蒸気を供給する。過熱蒸気を大量に供給することで、樹脂ノズル１４、エアノズル２５及びサクションドラム３１により囲まれた空間を高温高湿雰囲気下におくことができる。
【００３２】
図３は、メルトブロー装置１の一部を拡大して表示した模式図である。樹脂ノズル１４は、中心軸１４ａが略鉛直方向に沿っている。したがって、樹脂ノズル１４から吐出された溶融ポリマーは、自重で鉛直下向きに落下する。
【００３３】
また、エアノズル２５は、中心軸２５ａが略水平方向に沿っている。したがって、高温かつ高圧の空気は、図３の実線矢印で示すように、エアノズル２５から水平方向に噴き出す。
【００３４】
エアノズル２５から吐出される空気は大風量（約７０リットル／分）であり、風速も早いため、エアノズル２５の周囲には、図３の実線矢印で示すように、エアノズル２５から吐出される空気に沿った水平方向の随伴流(図３では左から右に流れる流れ、図３の実線矢印参照)が発生する。
【００３５】
エアノズル２５は、樹脂ノズル１４の中心軸と交差する。つまり、エアノズル２５の先端は、樹脂ノズル１４の中心軸よりも前方に位置する。随伴流が発生しているため、図３の二点鎖線矢印で示すように、樹脂ノズル１４から吐出された溶融ポリマーは、まず随伴流に乗って水平方向(図３における右方向)に吹き飛ばされ、その後エアノズル２５から吐出された空気により前方に吹き飛ばされることで延伸されて繊維状の樹脂（ナノファイバ）となり、エアノズル２５の前方（図３における右側）に配置されたサクションドラム３１に吹き付けられる。ここで、前方とは、エアノズル２５から吐出された空気の流れの下流側である。
【００３６】
このように、エアノズル２５を樹脂ノズル１４の中心軸と交差する位置に配置することで、自重で落下する溶融ポリマーをできるだけ早い段階で空気流にのせ、空気による延伸の効果を高くすることができる。
【００３７】
樹脂ノズル１４の中心軸１４ａとエアノズル２５の先端との距離ａは、樹脂ノズル１４の先端とエアノズル２５の中心軸２５ａとの距離ｂより近い。本実施の形態では、距離ａは２〜５ｍｍ(好ましくは２〜３ｍｍ)であり、距離ｂは５〜１０ｍｍ(好ましくは５〜６ｍｍ)である。これにより、樹脂ノズル１４から吐出された溶融ポリマーが随伴流に乗りやすくなる。
【００３８】
過熱蒸気ノズル４３は、中心軸が水平方向に対して傾いており、エアノズル２５の下方かつ後方からエアノズル２５に向けて過熱蒸気を吐出する。ここで、後方とは、前方の反対であり、エアノズル２５から吐出された空気の流れの上流側である。
【００３９】
過熱蒸気ノズル４３から吐出された過熱蒸気は、図３の破線矢印で示すように、随伴流に乗って水平方向に流れる。その結果、過熱蒸気は、樹脂ノズル１４、エアノズル２５及びサクションドラム３１により囲まれた空間に供給される。また、過熱蒸気を随伴流に乗せることで、樹脂ノズル１４、エアノズル２５及びサクションドラム３１により囲まれた空間に過熱蒸気が広がりやすい。
【００４０】
樹脂ノズル１４から吐出された溶融ポリマーは、過熱蒸気が樹脂ノズル１４、エアノズル２５及びサクションドラム３１により囲まれた空間に供給されているため、高温雰囲気下で延伸されてナノファイバとなる。
【００４１】
なお、ナノファイバを紡糸する前に、過熱蒸気ノズル４３から過熱蒸気を吐出して、樹脂ノズル１４、エアノズル２５及びサクションドラム３１により囲まれた空間を高温高湿雰囲気にすることが望ましい。また、樹脂ノズル１４、エアノズル２５及びサクションドラム３１により囲まれた空間に効率よく過熱蒸気を広げるためには、ナノファイバを紡糸する前に、過熱蒸気ノズル４３から過熱蒸気を吐出すると共にエアノズル２５から空気を吐出することが望ましい。
【００４２】
本実施の形態によれば、樹脂ノズル１４、エアノズル２５及びサクションドラム３１により囲まれた空間を過熱蒸気で満たし、過熱蒸気による高温雰囲気下で溶融ポリマーを繊維化するため、生成されるナノファイバの繊維径を小さくすることができる。特に、過熱蒸気は高圧ではなく、拡散したときの温度低下も少ないため、樹脂ノズル１４、エアノズル２５及びサクションドラム３１により囲まれた空間の温度を高温のまま保つことができる。
【００４３】
例えば、過熱蒸気供給部４０を用いない場合には、エアノズル２５から高温かつ高圧の空気を吐出したとしても、空気の膨張とともに空気の温度が低下してしまう。例えば、エアノズル２５から吐出するときの空気の温度が略７００℃であったとしても、溶融ポリマーに空気が当たるときには略２００℃以下に低下してしまう。その結果、溶融ポリマーを加熱する効果が低下し、ナノファイバが太くなってしまう。
【００４４】
それに対し、本実施の形態では、過熱蒸気による高温雰囲気下で溶融ポリマーを繊維化するため、繊維化するときに溶融ポリマーを加熱し続けることができる。その結果、紡糸されるナノファイバを細くすることができる。
【００４５】
また、過熱蒸気は１００℃以上の水蒸気であるため、通常の水蒸気（１００℃）よりも熱エネルギーが高い。したがって、過熱蒸気が樹脂ノズル１４周辺の低温の空気に触れると、過熱蒸気が凝縮すると同時に熱エネルギー（潜熱）を空気に与え、ダイ１３や樹脂ノズル１４周辺の雰囲気温度を高く保つことができる。
【００４６】
また、本実施の形態によれば、過熱蒸気により高温雰囲気にするため、エアノズル２５から噴き出す空気の風速を上げることなく紡糸されるナノファイバの繊維径を細くすることができる。エアノズル２５から噴き出す空気の風速を上げれば上げるほど紡糸されるナノファイバの繊維径は細くなるが、空気流によりナノファイバが引きちぎられて空気中に舞ってしまい、サクションドラム３１にナノファイバがうまく捕集されないおそれがある。例えば、ナノファイバが不織布５１の表面に均一に吸着されないと、繊維の粗密が発生し、布状の製品を濾材として用いたときの濾過性能が劣化してしまったり、見た目が悪くなり製品として成立しなくなったりしてしまう。それに対し、過熱蒸気により高温雰囲気にすることで、風速を上げることなく紡糸されるナノファイバの繊維径を細くすることができ、布状の製品の厚さを均一にし、例えば濾材としての所望の性能を発揮することができる。
【００４７】
また、本実施の形態によれば、過熱蒸気により高温雰囲気にするため、外気温に左右されず、繊維径の小さいナノファイバを紡糸することができる。また、外気温にかかわらず、紡糸されるナノファイバの繊維径を一定にすることができる。
【００４８】
なお、本実施の形態では、ナノファイバを紡糸し、当該紡糸したナノファイバを不織布５１、５２によって挟持された布状の製品を製造したが、紡糸したナノファイバの形態はこれに限られない。例えば、紡糸したナノファイバを固めて綿形状としてもよい。
【００４９】
＜第２の実施の形態＞
本発明の第２の実施の形態は、過熱蒸気供給部４０を設ける位置が異なる形態である。以下、第２の実施の形態にかかるメルトブロー装置２について説明する。なお、第１の実施の形態と同一の部分については、同一の符号を付し、説明を省略する。
【００５０】
図４は、メルトブロー装置２の一部を拡大して表示した模式図である。メルトブロー装置２は、主として、樹脂供給部１０と、空気流発生部２０（配管２２及びエアノズル２５以外図示省略）と、捕集部３０（サクションドラム３１以外図示省略）と、過熱蒸気供給部４０と、を有する。
【００５１】
過熱蒸気供給部４０は、過熱器４１(図示省略)と、配管４２(図示省略)と、過熱蒸気ノズル４３と、を有し、樹脂ノズル１４、エアノズル２５及びサクションドラム３１により囲まれた空間に過熱蒸気を供給する。過熱蒸気ノズル４３は、水平方向の位置がエアノズル２５とサクションドラム３１との間に位置するように設けられている。
【００５２】
過熱蒸気ノズル４３は、中心軸が略鉛直方向に沿っており、樹脂ノズル１４、エアノズル２５及びサクションドラム３１により囲まれた空間に下方から過熱蒸気を吐出する。過熱蒸気は、エアノズル２５から吐出される空気及び随伴流により、樹脂ノズル１４、エアノズル２５及びサクションドラム３１により囲まれた空間全体に広がる。
【００５３】
なお、過熱蒸気ノズル４３の配置位置はこれに限られない。例えば、樹脂ノズル１４、エアノズル２５及びサクションドラム３１により囲まれた空間に上方から過熱蒸気を吐出してもよい。
【００５４】
本実施の形態によれば、樹脂ノズル１４、エアノズル２５及びサクションドラム３１により囲まれた空間に直接加熱蒸気を供給するため、空気流を発生させる前に予め過熱蒸気供給部４０を動作させておくことで樹脂ノズル１４、エアノズル２５及びサクションドラム３１により囲まれた空間を高温雰囲気下に置くことができる。
【００５５】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。また、実施形態の構成の一部を他の実施形態の構成に置き換えることが可能であり、また、実施形態の構成に他の構成の追加、削除、置換等をすることが可能である。
【００５６】
また、本発明において、「略」とは、厳密に同一である場合のみでなく、同一性を失わない程度の誤差や変形を含む概念である。例えば、「略鉛直方向」とは、厳密に鉛直方向の場合には限られず、例えば数度程度の誤差を含む概念である。また、例えば、単に直交、平行、一致等と表現する場合において、厳密に直交、平行、一致等の場合のみでなく、略平行、略直交、略一致等の場合を含むものとする。
【００５７】
また、本発明において「近傍」とは、基準となる位置の近くのある範囲（任意に定めることができる）の領域を含むことを意味する。例えば、端近傍という場合に、端の近くのある範囲の領域であって、端を含んでもいても含んでいなくてもよいことを示す概念である。
【符号の説明】
【００５８】
１、２    ：メルトブロー装置
１０      ：樹脂供給部
１１      ：ホッパ
１２      ：押出機
１３      ：ダイ
１４      ：樹脂ノズル
１４ａ    ：中心軸
２０      ：空気流発生部
２１      ：コンプレッサ
２２      ：配管
２３      ：レギュレータ
２４      ：ヒータ
２５      ：エアノズル
２５ａ    ：中心軸
３０      ：捕集部
３１      ：サクションドラム
３２      ：ブロワ
３３      ：吸引部
３４、３５：不織布ロール
３６      ：巻取りドラム
４０      ：過熱蒸気供給部
４１      ：過熱器
４２      ：配管
４３      ：過熱蒸気ノズル
５１、５２：不織布
【図１】
2020196960.tif 000003
【図２】
2020196960.tif 000004
【図３】
2020196960.tif 000005
【図４】
2020196960.tif 000006